(57)【要約】【課題】離隔測定棒を利用することなく通信線架設予定位置の地上高及び柱上変圧器との離隔距離を確認できる電柱を提供することを目的とする。【解決手段】本発明にかかる代表的な電柱は、柱上変圧器の下に通信線を架設する電柱であって、柱上変圧器底面の基準位置を示す変圧器基準マークと、通信線の基準位置を示す通信線基準マークと、埋設深さの基準位置を示す埋設基準マークとを有することを特徴とする。これにより、変圧器底面、通信線及び埋設深さの基準位置を確認できる。【選択図】図１
2012100408.tif 000002
【特許請求の範囲】
【請求項１】
柱上変圧器の下に通信線を架設する電柱であって、
柱上変圧器底面の基準位置を示す変圧器基準マークと、
通信線の基準位置を示す通信線基準マークと、
埋設深さの基準位置を示す埋設基準マークとを有することを特徴とする電柱。
【請求項２】
前記変圧器基準マーク、通信線基準マーク及び埋設基準マークの近傍に、一定間隔の補助マークを有することを特徴とする請求項１に記載の電柱。
【発明の詳細な説明】
【技術分野】
【０００１】
本発明は、柱上変圧器の下に通信線を架設する電柱に関する。
【背景技術】
【０００２】
柱上変圧器の設置されている電柱に通信線を架設する場合、従来は図２に示すように、通信線架設予定位置２０２の地上高ならびに柱上変圧器２０３との離隔距離を、離隔測定棒２０１を用いて一本いっぽん移動して測定する必要があった。このため、現場に離隔測定棒２０１を持参しなければならず、また測定に時間と手間を要した。
【０００３】
このような支持物に関連する工事を容易にするための技術としては、「テーパ状のポールとその設置方法」（特許文献１）がある。この発明「テーパ状のポールとその設置方法」は、テーパ状のポールの側面上で適宜な間隔を開けて長手方向に数カ所に亘って垂直マークが設けられ、トランシットを垂直面上で揺動させてポールの複数の垂直マークが垂直方向に一致するか否かを確認するものである。
【先行技術文献】
【特許文献】
【０００４】
【特許文献１】特開２００５−２６４５５４号公報
【発明の概要】
【発明が解決しようとする課題】
【０００５】
しかし、この発明「テーパ状のポールとその設置方法」で用いる垂直マークは、ポールが垂直か否かを確認するものであり、ポールに設置する付属物の地上高、離隔距離を確認するものではない。
【０００６】
したがって、本発明は、離隔測定棒を利用することなく通信線架設予定位置の地上高及び柱上変圧器との離隔距離を確認できる電柱を提供することを目的とする。
【課題を解決するための手段】
【０００７】
本発明にかかる代表的な電柱は、柱上変圧器の下に通信線を架設する電柱であって、柱上変圧器底面の基準位置を示す変圧器基準マークと、通信線の基準位置を示す通信線基準マークと、埋設深さの基準位置を示す埋設基準マークとを有することを特徴とする。
【０００８】
これにより、変圧器底面、通信線及び埋設深さの基準位置を確認できる。
【０００９】
前記変圧器基準マーク、通信線基準マーク及び埋設基準マークの近傍に、一定間隔の補助マークを有することが好ましい。
【００１０】
これにより、変圧器底面、通信線又は埋設深さが基準位置からずれても、通信線架設予定位置の地上高及び柱上変圧器との離隔距離を確認できる。
【発明の効果】
【００１１】
本発明によれば、離隔測定棒を利用することなく通信線架設予定位置の地上高及び柱上変圧器との離隔距離を確認できる電柱を提供できる。これにより作業効率化を図れる。
【図面の簡単な説明】
【００１２】
【図１】本発明に係る１５ｍ電柱概要図である。
【図２】本発明に係る柱上変圧器と通信線との離隔測定図である。
【発明を実施するための形態】
【００１３】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１４】
図１は本発明に係る１５ｍ電柱概要図、図２は本発明に係る柱上変圧器と通信線との離隔測定図である。図１に示すように、電柱の底部１０５からに２．５ｍの位置に埋設基準マークとして埋設基準線１０１が二重線で表示されている。埋設基準線１０１から７ｍの位置に通信線基準マークとして通信線基準線１０２が二重線で表示されている。また、電柱の頂部１０６から３．７ｍの位置に変圧器基準マークとして変圧器基準線１０３が二重線で表示されている。これらの基準線により、柱上変圧器２０３底面、通信線架設予定位置２０２及び埋設深さの基準位置を確認できる。
【００１５】
なお、１５ｍ電柱としているが、柱上変圧器２０３の下に通信線を架設するスペースがあれば１５ｍ電柱に限られない。埋設基準線１０１は電柱の底部１０５から２．５ｍとしているが、電柱の太さにより２．５ｍに限られない。通信線基準線１０２は埋設基準線１０１から７ｍとしているが、法定地上高を満たせば７ｍに限られない。変圧器基準線１０３は電柱の頂部１０６から３．７ｍとしているが、高圧電線２０４と柱上変圧器２０３の設置スペースがあれば３．７ｍに限られない。また、基準線のマーキング手段は塗装に限らず、印刷、型押し、シール貼り付け等でもよい。
【００１６】
また、これらの変圧器基準線１０３、通信線基準線１０２及び埋設基準線１０１の上下に、３０ｃｍ間隔で３本ずつ、補助線１０４が一重線で表示されている。埋設基準線１０１の補助線１０４により埋設深さが埋設基準線１０１からずれても埋設深さを確認できる。埋設基準線１０１の補助線１０４と通信線基準線１０２の補助線１０４により、埋設深さが埋設基準線１０１からずれても、地上高７ｍの通信線架設予定位置２０２を確認できる。通信線基準線１０２の補助線１０４と変圧器基準線１０３の補助線１０４により、柱上変圧器２０３底面の設置位置が変圧器基準線１０３からずれても、柱上変圧器２０３との離隔距離を確保した通信線架設予定位置２０２を確認できる。
【００１７】
なお、基準線１０１、１０２、１０３を二重線、補助線１０４を一重線で区別しているが、色や太さなどを変えて区別してもよい。補助線１０４の間隔は通信線同士の離隔を考慮して３０ｃｍとしているが、３０ｃｍに限られない。また、補助線１０４は上下３本ずつとしているが、３本に限られず上下の本数が異なってもよい。
【００１８】
このように、基準線１０１、１０２、１０３を表示することにより、離隔測定棒２０１を利用することなく柱上変圧器２０３底面、通信線架設予定位置２０２及び埋設深さの基準位置を確認できる。また、補助線１０４を表示することにより、埋設深さ又は柱上変圧器２０３の設置位置が基準線１０１、１０２、１０３からずれても、離隔測定棒２０１を利用することなく通信線架設予定位置２０２の地上高及び柱上変圧器２０４との離隔距離を確認できる。
【００１９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【００２０】
１０１  埋設基準線
１０２  通信線基準線
１０３  変圧器基準線
１０４  補助線
１０５  底部
１０６  頂部
２０１  離隔測定棒
２０２  通信線架設予定位置
２０３  柱上変圧器
２０４  高圧電線
【図１】
2012100408.tif 000003
【図２】
2012100408.tif 000004